(57)【要約】【課題】特に、一旦、記憶手段に記憶した画像データを繰り返し種々の印刷条件で印刷させることを可能とした画像出力システムを提供する。【解決手段】画像処理装置１１０は、画像データと画像データの印刷条件とをホストコンピュータから受信し記憶する。複写機１２０は、記憶された画像データと画像データの印刷条件とに基づいて印刷出力を行う。複写機１２０は、操作部からの、記憶された画像データの印刷条件を変更する指示を受け付ける。複写機１２０は、画像データに関する印刷出力を実行した後も、画像データと画像データの印刷条件とを記憶しておくよう制御する。更に、複写機１２０は、印刷出力の実行後に操作部が受け付けた指示に基づいて画像データの印刷条件を変更するよう制御する。【選択図】図２
2007109243.tif 000002
【特許請求の範囲】
【請求項１】
画像データと前記画像データの印刷条件とを外部装置から受信する受信手段と、
前記受信手段が受信した画像データと印刷条件とを記憶する記憶手段と、
前記記憶手段に記憶された画像データと前記画像データの印刷条件とに基づいて印刷出力を行う印刷手段と、
前記印刷手段に備えられる、前記記憶手段に記憶された画像データの印刷条件を変更する指示を受け付ける受付手段と、
前記印刷手段が前記画像データに関する印刷出力を実行した後も前記記憶手段に前記画像データと前記画像データの印刷条件とを記憶しておくよう制御し、前記印刷出力の実行後に前記受付手段が受け付けた指示に基づいて前記画像データの印刷条件を変更するよう制御する制御手段と、を備えることを特徴とする画像出力システム。
【請求項２】
前記受付手段は更に、印刷条件が変更された画像データの再印刷の指示を受付可能であり、
前記制御手段は、前記受付手段が受け付けた再印刷の指示に基づいて、前記印刷条件の変更を指示した画像データを、前記受付手段が受け付けた指示により変更された印刷条件で前記印刷手段に印刷出力させるよう制御することを特徴とする、請求項１に記載の画像出力システム。
【請求項３】
前記記憶手段は複数の画像データを記憶することが可能であり、
前記受付手段は更に、前記記憶手段に記憶された複数の画像データのいずれかを特定し消去する指示を受付可能であり、
前記制御手段は前記受付手段が受け付けた指示に基づいて、前記記憶手段に記憶された複数の画像データのうち前記指示により特定された画像データを消去するよう制御することを特徴とする、請求項１または請求項２のいずれか１項に記載の画像出力システム。
【請求項４】
画像データと前記画像データの印刷条件とを外部装置から受信する受信工程と、
前記受信工程で受信した画像データと印刷条件とを記憶手段に記憶する記憶工程と、
前記記憶工程において前記記憶手段に記憶された画像データと前記画像データの印刷条件とに基づいて印刷手段を用いて印刷出力を行う印刷工程と、
前記印刷手段に備えられる受付手段を介して、前記記憶手段に記憶された画像データの印刷条件を変更する指示を受け付ける受付工程と、
前記印刷工程において前記画像データの印刷出力を実行した後も前記記憶手段に前記画像データと前記画像データの印刷条件とを記憶しておくよう制御し、前記印刷工程での印刷出力の実行後に前記受付工程において受け付けた指示に基づいて前記画像データの印刷条件を変更するよう制御する制御工程と、を備えることを特徴とする画像出力方法。
【請求項５】
画像出力システムに画像出力方法を実行させるための制御プログラムを格納したコンピュータ読み取り可能な記憶媒体であって、
前記制御プログラムは、
画像データと前記画像データの印刷条件とを外部装置から受信する受信ステップと、
前記受信ステップで受信した画像データと印刷条件とを記憶手段に記憶する記憶ステップと、
前記記憶ステップにおいて前記記憶手段に記憶された画像データと前記画像データの印刷条件とに基づいて印刷手段を用いて印刷出力を行う印刷ステップと、
前記印刷手段に備えられる受付手段を介して、前記記憶手段に記憶された画像データの印刷条件を変更する指示を受け付ける受付ステップと、
前記印刷ステップにおいて前記画像データの印刷出力を実行した後も前記記憶手段に前記画像データと前記画像データの印刷条件とを記憶しておくよう制御し、前記印刷ステップでの印刷出力の実行後に前記受付ステップにおいて受け付けた指示に基づいて前記画像データの印刷条件を変更するよう制御する制御ステップと、を備えることを特徴とする記憶媒体。
【発明の詳細な説明】
【技術分野】
【０００１】
本発明は、例えばコンピュータ端末等から出力された画像データを可視出力する場合に好適な画像出力システム、画像出力方法、及び記憶媒体に関する。
【背景技術】
【０００２】
近年、画像の編集を行うホストコンピュータと、画像を管理する画像処理装置と、複写機等のプリント装置とを接続し、以下の処理を行うシステムが提案されている。該システムでは、ホストコンピュータからのＰＤＬ画像情報をネットワークを介して画像処理装置が受信し、ＰＤＬ画像情報を画像処理装置内で翻訳し、翻訳した画像データを高画質な複写機に送り、紙等にプリントさせる。
【０００３】
一方、近年の複写機はその機能が向上しており、例えば、両面、ソート／ステープル機能が装備されるようになっている。これに伴い、画像処理装置から複写機に対するプリント制御も複雑化してきている。同時に、複写機のエンジンスピードも、従来の複写機に比較して向上している。
【０００４】
上記複写機に関しては、外部機器に接続されるとともにコピー機能やプリンタ機能を有する画像形成装置が提案されている（例えば、特許文献１参照）。
【特許文献１】特開平５−１３６９１８号公報
【発明の開示】
【発明が解決しようとする課題】
【０００５】
しかしながら、上述した従来技術においては、下記のような問題があった。即ち、上記複写機においては、プリントは１枚プリントするために発生するコストが高いにも関わらず、プリント失敗も多く発生することがあった。
【０００６】
また、上記システムを構成する画像処理装置内でのＰＤＬ画像情報の翻訳、及び複写機への画像転送が、複写機で連続プリントを行うのに間に合わなくなることがあるという問題があった。即ち、複数枚のプリント途中で、画像処理装置からのデータ待ちのために複写機エンジンが一旦停止することがあった。
【０００７】
そのために、複写機はその間他の処理を行うことができず、非常に効率の悪いものであった。また、オペレータがプリント結果を見て、思い通りのものとなっていなかった場合には、再びホストコンピュータから画像情報を送出し直す必要があった。
【０００８】
本発明の目的は、特に、一旦、記憶手段に記憶した画像データを繰り返し種々の印刷条件で印刷させることを可能とした画像出力システム、画像出力方法、及び記憶媒体を提供することにある。
【課題を解決するための手段】
【０００９】
上述の目的を達成するために、本発明の画像出力システムは、画像データと前記画像データの印刷条件とを外部装置から受信する受信手段と、前記受信手段が受信した画像データと印刷条件とを記憶する記憶手段と、前記記憶手段に記憶された画像データと前記画像データの印刷条件とに基づいて印刷出力を行う印刷手段と、前記印刷手段に備えられる、前記記憶手段に記憶された画像データの印刷条件を変更する指示を受け付ける受付手段と、前記印刷手段が前記画像データに関する印刷出力を実行した後も前記記憶手段に前記画像データと前記画像データの印刷条件とを記憶しておくよう制御し、前記印刷出力の実行後に前記受付手段が受け付けた指示に基づいて前記画像データの印刷条件を変更するよう制御する制御手段と、を備えることを特徴とする。
【発明の効果】
【００１０】
本発明によれば、画像出力システムにおいて、一旦、記憶手段に記憶した画像データを繰り返し種々の印刷条件で印刷させることが可能となる。
【発明を実施するための最良の形態】
【００１１】
以下、本発明の実施の形態を図面を参照して詳細に説明する。以下の実施の形態では、本発明の適用例としてデジタルカラー複写機及び画像処理装置を備えた画像処理システムの例を示しているが、これに限定されるものではなく、他の種々の装置に適用できることは勿論である。
【００１２】
［第１の実施の形態］
先ず、本発明の第１の実施の形態に係る画像処理システム全体の構成及び画像処理システム各部の構成について説明する。
【００１３】
図２は、本実施の形態に係る画像処理システムの全体構成を示す説明図である。
【００１４】
図２において、画像処理システムは、デジタルカラー複写機１２０と、画像処理装置（ＰＤＬ翻訳装置）１１０と、複数のクライアントコンピュータ１０１、１０２、１０３とから構成されている。
【００１５】
デジタルカラー複写機１２０は、上部にデジタル画像読み取り部と、カラー、グレースケールのデジタル画像を印刷出力するデジタル画像プリント部とを備えており、画像処理装置（ＰＤＬ翻訳装置）１１０に接続されている。更に、画像処理装置（ＰＤＬ翻訳装置）１１０と、複数のクライアントユーザに使用されるクライアントコンピュータ１０１、１０２、１０３とは、ネットワーク１上に接続されている。尚、本例では、クライアントコンピュータは３台図示しているが、更に多数のクライアントコンピュータを接続可能であることは言うまでもない。
【００１６】
次に、画像処理システムの各部の構成について、デジタルカラー複写機１２０、クライアントコンピュータ１０１、１０２、１０３、画像処理装置（ＰＤＬ翻訳装置）１１０の順で詳細に説明する。
【００１７】
図３は、デジタルカラー複写機１２０の構成を示す説明図である。
【００１８】
図３において、デジタルカラー複写機１２０は、イメージスキャナ部２０１と、信号処理部２１１と、プリンタ部２０２と、操作部２２７とから大略構成されている。イメージスキャナ部２０１は、原稿の画像を読み取る。信号処理部２１１は、画像信号に処理を施す。プリンタ部２０２は、記録紙上に画像を可視出力する。操作部２２７は、オペレータによる操作の入力を行う。各部はデジタルカラー複写機１２０に内蔵されたＲＯＭに格納されたプログラムに基づきＣＰＵにより制御される。また、各種データを記憶するＲＡＭも有する。
【００１９】
イメージスキャナ部２０１は、鏡面圧板２００と、原稿台ガラス２０３と、ランプ２０５と、ミラー２０６、２０７、２０８と、レンズ２０９と、３ラインセンサ２１０（２１０−１、２１０−２、２１０−３）とを備えている。プリンタ部２０２は、レーザドライバ２１２と、半導体レーザ２１３と、ポリゴンミラー２１４と、ｆ−θレンズ２１５と、ミラー２１６と、感光ドラム２１７とを備えている。プリンタ部２０２は、更に、マゼンタ現像部２１９、シアン現像部２２０、イエロ現像部２２１、ブラック現像部２２２を有する回転現像器２１８と、転写ドラム２２３と、用紙カセット２２４、２２５と、定着ユニット２２６とを備えている。
【００２０】
上記各部の機能を詳述すると、イメージスキャナ部２０１は、例えば４００ｄｐｉ（ｄｏｔｓ／ｉｎｃｈ）の解像度で原稿を読み取り、デジタル信号処理を行う。プリンタ部２０２は、イメージスキャナ部２０１によって読み取られた原稿画像に対応した画像を４００ｄｐｉの解像度で用紙にフルカラーでプリント出力する。
【００２１】
イメージスキャナ部２０１においては、鏡面圧板２００の下面で且つ原稿台ガラス（プラテン）２０３の上面に載置された原稿２０４は、ランプ２０５で照射され、その反射光はミラー２０６、２０７、２０８で導かれる。その後、反射光はレンズ２０９を介して３ラインセンサ（ＣＣＤ）２１０上に結像され、フルカラー情報レッド（Ｒ）、グリーン（Ｇ）、ブルー（Ｂ）成分として信号処理部２１１に送られる。
【００２２】
尚、ランプ２０５、ミラー２０６は速度Ｖで、ミラー２０７、２０８は速度（１／２）Ｖで、駆動機構（図示略）によりラインセンサの電気的走査（主走査）方向に対して垂直方向に機械的に動かされることによって、原稿全面を走査（副走査）する。
【００２３】
信号処理部２１１においては、読み取られた画像信号を電気的に処理し、マゼンタ（Ｍ）、シアン（Ｃ）、イエロ（Ｙ）、ブラック（Ｂｋ）の各成分に分解し、プリンタ部２０２に送る。また、イメージスキャナ部２０１における１回の原稿走査につき、Ｍ、Ｃ、Ｙ、Ｂｋのうち１つの成分がプリンタ部２０２に送られ、計４回の原稿走査によって１頁のプリントアウト分の読取が完了する。
【００２４】
イメージスキャナ部２０１から送られてくるＭ、Ｃ、Ｙ、Ｂｋの各画像信号は、プリンタ部２０２のレーザドライバ２１２に送られる。レーザドライバ２１２は、送られてきた画像信号に応じて半導体レーザ２１３を変調駆動する。半導体レーザ２１３から発射されたレーザ光は、ポリゴンミラー２１４、ｆ−θレンズ２１５、ミラー２１６を介して感光ドラム２１７上を走査する。
【００２５】
回転現像器２１８は、マゼンタ現像部２１９、シアン現像部２２０、イエロ現像部２２１、ブラック現像部２２２から構成されている。これら４つの現像部が交互に感光ドラム２１７に接し、該感光ドラム２１７上に形成された静電潜像をトナーで現像する。転写ドラム２２３は、用紙カセット２２４または用紙カセット２２５から供給される用紙を当該転写ドラム２２３に巻き付け、感光ドラム２１７上に現像された像を用紙に転写する。
【００２６】
上述のようにして、用紙にはＭ、Ｃ、Ｙ、Ｂｋの４色が順次転写された後に、用紙は定着ユニット２２６を通過する際にトナーが定着され、排紙される。
【００２７】
図４は、クライアントコンピュータの構成を示すブロック図である。
【００２８】
図４において、クライアントコンピュータは汎用のパーソナルコンピュータである。クライアントコンピュータは、ＣＰＵ４０１と、画像編集コントローラ４０２と、ディスプレイメモリ４０３と、ディスプレイコントローラ４０４と、キーボード／マウスコントローラ４０５と、ＲＯＭ４０６と、メインメモリ４０７とを備えている。クライアントコンピュータは、更に、ハードディスクコントローラ４０８と、ネットワークコントローラ４０９と、ハードディスク４１０と、マウス４１１と、ディスプレイ４１２と、キーボード４１３とを備えている。
【００２９】
上記各部の機能を詳述すると、ＣＰＵ４０１は、ＲＯＭ４０６又はハードディスク４１０に記憶されたプログラムに従ってクライアントコンピュータの中央制御を司る。画像編集コントローラ４０２は、ディスプレイメモリ４０３上での画像レイアウト・編集を行う。ディスプレイメモリ４０３は、ディスプレイ４１２に表示するデータを記憶する。ディスプレイコントローラ４０４は、ディスプレイ４１２の表示制御を行う。
【００３０】
キーボード／マウスコントローラ４０５は、マウス４１１、キーボード４１３を制御する。ＲＯＭ４０６は、ＣＰＵ４０１により実行されるプログラム等を記憶する。メインメモリ４０７は、各種データを記憶する。ハードディスクコントローラ４０８は、ハードディスク４１０を制御する。
【００３１】
ネットワークコントローラ４０９は、ネットワークを介して画像処理装置１１０等との間で通信を行う。ハードディスク４１０は、画像データを一時登録したり各種データを記憶する。マウス４１１、キーボード４１３は、オペレータによりクライアントコンピュータに対する指示入力デバイスとして使用される。ディスプレイ４１２は、画像レイアウト・編集メニュー等の表示を行う。
【００３２】
図１は、画像処理装置１１０の構成を示すブロック図である。
【００３３】
図１において、画像処理装置１１０は、ＣＰＵ３０１１と、ＲＯＭ３０１２と、アドレス発生回路３０２２と、モニタコントローラ３０１４と、ホストインタフェース３０１５と、シリアル通信コントローラ３０１７とを備えている。画像処理装置１１０は、更に、ＤＲＡＭ３０１３と、ＦＩＦＯ（First In First Out）３０１８と、ＨＤＤ（ハードディスク）コントローラ３０１９と、内蔵ＨＤＤ３０２０と、色変換処理部３０２１とを備えている。
【００３４】
上記各部の機能を詳述すると、ＣＰＵ３０１１は、ＲＯＭ３０１２に記憶されたプログラムに基づいて、ＣＰＵバスを介して画像処理装置１１０全体の制御を司る。ＣＰＵ３０１１は、例えばPostScript等のような制御情報と画像情報とからなるＰＤＬ（Page Description Language）データの画像展開等の処理を行うため、ＲＩＳＣ（Reduced Instruction Set Computer）等の処理速度の早いＣＰＵを用いる。ＣＰＵ３０１１は、ＰＤＬデータに限らず多種の画像データを扱えるものとする。
【００３５】
ＲＯＭ３０１２は、ＣＰＵ３０１１により実行されるプログラムを記憶する。アドレス発生回路３０２２は、後述するようにアドレス３０２３を発生する。モニタコントローラ３０１４は、スプーリング機能（低速な入出力装置をＣＰＵと並行して動作させコンピュータ全体の処理効率を上げる機能）サポートのために、スプールジョブのモニタリング制御等に使用される。
【００３６】
シリアル通信コントローラ３０１７は、外部ビデオインタフェース部３０３０を介してデジタルカラー複写機（図２、図３参照）との間でシリアル通信を行う。ＤＲＡＭ３０１３は、一部領域（ＰＤＬバッファ）と特定領域（フレームメモリ）とを備えており、後述するようにＰＤＬデータや書き込みアドレスを記憶する。ＦＩＦＯ３０１８は、デジタルカラー複写機から外部ビデオインタフェース部３０３０を介して送られてくるデータ３０２５を記憶する。
【００３７】
色変換処理部３０２１は、ＦＩＦＯ３０１８から出力されたデータ３０２４に色変換処理を施す。ＨＤＤコントローラ３０１９は、内蔵ＨＤＤ３０２０を制御する。ＨＤＤ３０２０は、フォントデータを記憶する。ＨＤＤコントローラ３０１９及び内蔵ＨＤＤ３０２０と、外部ビデオインタフェース部３０３１との間には、ＳＣＳＩ（Small Computer System Interface）バスが接続されている。
【００３８】
ホストインタフェース３０１５は、シリアルインタフェース、パラレルインタフェース、ＬＡＮ（Local Area Network）のコントローラ回路であり、ホストコンピュータからのＰＤＬデータの受信を行う。この場合、ホストコンピュータからの画像はシリアルインタフェース、パラレルインタフェース、ＬＡＮインタフェースの何れかで送られてくるが、ケーブルは同時に接続しておくことができる。
【００３９】
そして、このように受信したＰＤＬデータ（一旦、画像処理装置１１０内のＨＤＤ等に記憶されたＰＤＬデータも含む）は、ＣＰＵバスを介してＤＲＡＭ３０１３の一部領域（ＰＤＬバッファ）に記憶される。あるいは、外部ＨＤＤに記憶されているフォントデータを用いて、ＤＲＡＭ３０１３の一部領域に記憶されたＰＤＬデータからラスタ画像データ（レッド、グリーン、ブルー）に展開する。更に、アドレス発生回路３０２２により、各フレームメモリの書き込みアドレス３０２３を発生して、ＤＲＡＭ３０１３の特定領域（フレームメモリ）に記憶する。
【００４０】
デジタルカラー複写機（図２、図３参照）は、複数の出力色成分シアン、マゼンタ、イエロ、ブラックについて順次に画像形成を行うカラー電子写真複写機である。画像処理装置１１０は、デジタルカラー複写機からの同期信号（不図示）に基づいて、同期のとれた画像データを読み出せるように、一旦、ＦＩＦＯ３０１８に記憶する。
【００４１】
そして、ＦＩＦＯ３０１８からデータ３０２４を色変換処理部３０２１に送り、色変換処理を施す。即ち、レッド、グリーン、ブルーのラスタ画像データからデジタルカラー複写機でプリントできるラスタ画像データ（シアン、マゼンタ、イエロ、ブラック）に変換する。その後、ラスタ画像データは外部ビデオインタフェース部３０３０に送出され、その信号に基づいてデジタルカラー複写機の画像形成部において画像形成が行われる。
【００４２】
図１３は、本発明のプログラム及び関連データが、フロッピー(登録商標）ディスク或いはＣＤ−ＲＯＭ等の記憶媒体から装置に供給される概念例を示す説明図である。
【００４３】
図１３において、プログラム及び関連データは、(登録商標)ディスク或いはＣＤ−ＲＯＭ等の記憶媒体１３０１をコンピュータ等の装置１３０２に装備された記憶媒体ドライブの挿入口１３０３に挿入することで供給される。
【００４４】
そして、上記の記憶媒体１３０１から本発明のプログラム及び関連データを一旦ハードディスクへインストールすることにより、ハードディスクからＲＡＭにロードし、プログラムを実行することが可能となる。但し、本発明のプログラム及び関連データをハードディスクへインストールせずに、直接フロッピー（登録商標)ディスク或いはＣＤ−ＲＯＭからＲＡＭにロードし実行することも可能である。
【００４５】
図１２は、本発明のプログラム及び関連データを記憶したフロッピー(登録商標)ディスク或いはＣＤ−ＲＯＭ等の記憶媒体の記憶内容の構成例を示す説明図である。
【００４６】
図１２において、フロッピー（登録商標)ディスク或いはＣＤ−ＲＯＭ等の記憶媒体は、例えばボリューム情報１２０１、ディレクトリ情報１２０２、プログラム実行ファイル１２０３、プログラム関連データファイル１２０４等の記憶内容で構成される。本発明のプログラムは、後述する図５〜図１１のフローチャートに基づきプログラムコード化されたものである。
【００４７】
次に、画像処理システムの画像処理装置１１０における制御について、図５のフローチャートを参照しながら説明する。
【００４８】
先ず、画像処理装置１１０の電源を投入すると、画像処理装置１１０はレディ状態となる（ステップＳ５０１）。画像処理装置１１０はホストコンピュータからＰＤＬデータが送信されてくるか否かをチェックし、ＰＤＬデータが送信されてくるまで待機する（ステップＳ５０２）。そして、ホストコンピュータからＰＤＬデータが送信されてきた場合は、他のインタフェースをビジー状態にして、他のインタフェースからのデータを受け付けないようにする（ステップＳ５０３）。
【００４９】
次に、画像処理装置１１０はＰＤＬデータの受信を開始し、ＤＲＡＭ３０１３のＰＤＬバッファにＰＤＬデータを一旦記憶する（ステップＳ５０４）。そして、受信したＰＤＬデータに基づいて、ラスタ画像への展開を行い、その後そのラスタ画像を圧縮し、画像メモリにそのデータの記憶を開始する（ステップＳ５０５）。その後、ＰＤＬデータのラスタ画像への展開、圧縮、画像メモリへの記憶が終了したか否かを判断する（ステップＳ５０６）。ここでの圧縮は高速に伸長ができる形式に圧縮するものである。
【００５０】
この場合の画像メモリとは、アクセスタイムが早いＤＲＡＭ３０１３（上記図１参照）、又はアクセスタイムはＤＲＡＭ３０１３には劣るが低価格で大容量の記憶ができる内蔵ＨＤＤ３０２０（上記図１参照）のどちらでもよい。その選択は、システム全体のパフォーマンス等や、搭載ＤＲＡＭ又は搭載ディスク容量に依存する。
【００５１】
本実施の形態では、受信したＰＤＬデータを展開した後のラスタ画像、及びラスタ画像を圧縮した画像データを解凍した後の画像データは、ＤＲＡＭ３０１３に記憶し、ラスタ画像を圧縮した後の画像データは、内蔵ＨＤＤ３０２０に記憶するものとする。
【００５２】
上記ステップＳ５０６において、ＰＤＬデータのラスタ画像への展開、圧縮、画像メモリへの記憶が終了したと判断した場合は、画像処理装置１１０は以下の処理を行う。画像メモリに記憶した画像データ及び該画像データの送信元を識別するための画像管理情報をデジタルカラー複写機１２０に通知する（ステップＳ５０７）。
【００５３】
上記画像管理情報とは、ホストコンピュータで画像を作成し、ＨＤＤ等の記憶装置に保存する場合のファイル名や、画像を管理するための数字等、画像を識別・管理できる情報であれば何でもよい。
【００５４】
次に、画像処理装置１１０はデジタルカラー複写機１２０から、画像管理情報、プリント条件の指定、プリント開始命令が送信されてくるかを待機する（ステップＳ５０８）。もし、命令があれば、画像管理情報に基づいて、ＨＤＤ３０２０からプリントすべき画像データを検索する（ステップＳ５０９）。そして、上記ステップＳ５０５及びステップＳ５０６で画像データを画像メモリに記憶する際に圧縮して記憶しているので、その圧縮された画像データを解凍し、プリント可能な非圧縮データに変換する（ステップＳ５１０）。
【００５５】
次に、画像処理装置１１０はデジタルカラー複写機１２０からのプリント条件に基づき、頁順、画像の向き等を変えるなどの処理を行い、画像データをデジタルカラー複写機１２０に転送する（ステップＳ５１１）。
【００５６】
上記プリント条件とは、プリンタとして使用するデジタルカラー複写機の性能としてのホッチキス止めの場合は次のような条件である。排紙トレイ上のプリント済み用紙に対して上からのホッチキス止めしかできない場合、片／両面プリント共に、画像データの１頁目が排紙トレイ上の一番上になるように頁順を入れ替えてデジタルカラー複写機に出力する。或いは、ステープルの位置(一箇所又は二箇所止め)を考慮し、例えば画像データを用紙に両面プリントする場合、表／裏面の画像の向きを合わせるのか又は逆向きにするかにより、画像の向きを１８０度回転させ画像データをデジタルカラー複写機に出力する。
【００５７】
そして、画像処理装置１１０はデジタルカラー複写機１２０に画像データの転送が終了したか否かを判断し（ステップＳ５１２）、画像データの転送が終了した場合には、レディ状態に遷移して（ステップＳ５０１）、ＰＤＬデータ受信待機状態となる。
【００５８】
次に、画像処理システムのデジタルカラー複写機１２０における制御について、図６のフローチャートを参照しながら説明する。
【００５９】
先ず、デジタルカラー複写機１２０の電源を投入すると、デジタルカラー複写機１２０はレディ状態となる（ステップＳ６０１）。デジタルカラー複写機１２０は画像処理装置１１０から画像管理情報の通知が有るか否かをチェックする（ステップＳ６０２）。もし、画像管理情報の通知があれば、画像処理装置１１０の画像メモリ内にプリント可能な画像が記憶されているものと判断する。
【００６０】
次に、デジタルカラー複写機１２０はユーザにより操作部２２７から画像管理情報の表示命令が指示されたか否かをチェックする（ステップＳ６０３）。そこで、表示命令があれば、画像処理装置１１０から通知を受けた全ての画像管理情報を操作部２２７上の表示部に表示する。同時に、デジタルカラー複写機１２０において可能なプリント条件を全て表示部に表示する（ステップＳ６０４）。
【００６１】
例えば、両面、ステープル（ホッチキスの針の向き＝排紙トレイ上のプリント済み用紙に対して上、又は下からホッチキス止めするのか、何箇所止め等）／ソートプリント等を表示する。
【００６２】
次に、デジタルカラー複写機１２０はユーザにより操作部２２７から画像管理情報、プリント条件の指定、プリント開始命令が指示されたか否かをチェックする（ステップＳ６０５）。もし、命令があれば、画像処理装置１１０に対して、プリントしようとする画像管理情報、プリント条件を知らせ、プリント開始命令を発行する（ステップＳ６０６）。
【００６３】
次に、デジタルカラー複写機１２０は画像処理装置１１０からプリント開始要求が有るか否かをチェックし、プリント開始要求が来るまで待機する（ステップＳ６０７）。そして、画像処理装置１１０からプリント開始要求が来たら、デジタルカラー複写機１２０は操作部２２７の表示をホストコンピュータからのデータのプリントを行うリモートプリント用の状態にし、他の処理のためのキー入力を禁止する（ステップＳ６０８）。この後、リモートプリントを開始する（ステップＳ６０９）。そして、リモートプリントが終了したか否かを判断し（ステップＳ６１０）、リモートプリントが終了した場合は、デジタルカラー複写機１２０はレディ状態に遷移する（ステップＳ６０１）。
【００６４】
また、上記ステップＳ６０２において、画像処理装置１１０から画像管理情報の通知が無い場合には、デジタルカラー複写機１２０は画像処理装置１１０内の画像メモリにはプリント可能な画像データが記憶されていないものと判断する。そして、イメージスキャナ部２０１で読み取った原稿の画像を直接プリントするローカルコピー要求が有るか否かをチェックする（ステップＳ６１１）。もし、ローカルコピー要求が無ければ、デジタルカラー複写機１２０はレディ状態に遷移する（ステップＳ６０１）。
【００６５】
また、この時に、ローカルコピー要求があれば、デジタルカラー複写機１２０は操作部２２７の表示をローカルコピー用の状態にし、他の処理のためのキー入力を禁止する（ステップＳ６１２）。この後、ローカルコピーを開始する（ステップＳ６１３）。そして、ローカルコピーが終了したか否かを判断し（ステップＳ６１４）、ローカルコピーが終了した場合は、デジタルカラー複写機１２０はレディ状態に遷移する（ステップＳ６０１）。
【００６６】
また、上記ステップＳ６０３において画像管理情報の通知が無い場合、または、上記ステップＳ６０５において操作部２２７からプリント開始命令等が無い場合には、デジタルカラー複写機１２０は上記ステップＳ６１１以降の処理を実行する。
【００６７】
次に、デジタルカラー複写機１２０からの画像データの入力について説明する。デジタルカラー複写機１２０のイメージスキャナ部２０１から読み込んだ画像データは、レッド、グリーン、ブルー多値のドットデータで画像処理装置１１０に送られる。更に、画像処理装置１１０からの同期信号に基づいて、同期のとれた画像データを読み出せるように、一旦、ＦＩＦＯ３０１８（上記図１参照）に記憶する。
【００６８】
そして、その同期信号に基づいて画像処理装置１１０のフレームメモリ３０１３（上記図１参照）に格納される。その後、フレームメモリ３０１３に記憶された画像データに、アドレス発生回路３０２２（上記図１参照）により読み出しアドレス３０２３を発生して、間引き等の加工処理が施され、パラレルインタフェースによりホストコンピュータに送られる。
【００６９】
以上説明したように、本実施の形態によれば、画像処理システムの画像処理装置（ＰＤＬ翻訳装置）１１０は、次の各部を有する。コンピュータから入力された画像情報に基づきラスタ画像データに展開した後圧縮してＨＤＤ３０２０に記憶し、デジタルカラー複写機１２０からの画像管理情報に基づきＨＤＤ３０２０から画像データを検索するＣＰＵ３０１１。画像データが記憶されるＨＤＤ３０２０。デジタルカラー複写機１２０からの画像形成・出力指示に基づき画像データに色変換処理を施す色変換処理部３０２１。画像管理情報、画像データをデジタルカラー複写機１２０に出力する外部ビデオインタフェース３０３０。そして、以下の効果を奏する。
【００７０】
上記構成により、画像処理装置１１０における画像データ処理及びデジタルカラー複写機１２０に対する画像データ転送を迅速に行うことが可能となる。これにより、デジタルカラー複写機１２０の性能をフルに発揮させることができると共に、両面、ソート／ステープルプリントの失敗を減らすことができる。
【００７１】
また、デジタルカラー複写機１２０のエンジンスピードに応じたタイミングでプリントすることができる。即ち、プリント中にエンジンが一旦停止して、画像処理装置１１０から送られてくる画像データ待ちのためのダウンタイムを減らすことができ、複数ページ複数部数プリントのパフォーマンスが向上する。
【００７２】
また、電子的に配られた電子データに対しても、失敗の少ない且つ信頼性の高いシステムを実現できると共に、ユーザの好みに応じた製本も簡単に実現することができる。
【００７３】
［第２の実施の形態］
本発明の第２の実施の形態は、上述した第１の実施の形態に対して、下記の点において相違する。尚、本実施の形態の画像処理システムの全体構成、及び画像処理システムのデジタルカラー複写機、画像処理装置、クライアントコンピュータの構成は、上述した第１の実施の形態と同様であり（図１乃至図４参照）、説明を省略する。
【００７４】
本実施の形態では、プリント可能なプリント条件を事前にプログラムしてプリントモードとしてデジタルカラー複写機１２０内部のＲＡＭに記憶しておき、そのプリントモードをデジタルカラー複写機１２０の操作部２２７上で選択する。これにより、操作部２２７上で幾つものプリント条件を一つずつ選択する手間を省き、操作性の向上を図るものである。
【００７５】
次に、本実施の形態に係る画像処理システムの画像処理装置１１０における制御について、図７のフローチャートを参照しながら説明する。
【００７６】
先ず、画像処理装置１１０の電源を投入すると、画像処理装置１１０はレディ状態となる（ステップＳ７０１）。画像処理装置１１０はホストコンピュータからＰＤＬデータが送信されてくるか否かをチェックし、ＰＤＬデータが送信されてくるまで待機する（ステップＳ７０２）。そして、ホストコンピュータからＰＤＬデータが送信されてきた場合は、他のインタフェースをビジー状態にして、他のインタフェースからのデータを受け付けないようにする（ステップＳ７０３）。
【００７７】
次に、画像処理装置１１０はＰＤＬデータの受信を開始し、ＤＲＡＭ３０１３のＰＤＬバッファにＰＤＬデータを一旦記憶する（ステップＳ７０４）。そして、受信したＰＤＬデータに基づいて、ラスタ画像への展開を行い、その後そのラスタ画像を圧縮し、画像メモリにそのデータの記憶を開始する（ステップＳ７０５）。その後、ＰＤＬデータのラスタ画像への展開、圧縮、画像メモリへの記憶が終了したか否かを判断する（ステップＳ７０６）。
【００７８】
この場合の画像メモリとは、アクセスタイムが早いＤＲＡＭ３０１３（上記図１参照）、又はアクセスタイムはＤＲＡＭ３０１３には劣るが低価格で大容量の記憶ができる内蔵ＨＤＤ３０２０（上記図１参照）のどちらでもよい。その選択は、システム全体のパフォーマンス等や、搭載ＤＲＡＭ又は搭載ディスク容量に依存する。
【００７９】
本実施の形態では、受信したＰＤＬデータを展開した後のラスタ画像、及びラスタ画像を圧縮した画像データの解凍後の画像データは、ＤＲＡＭ３０１３に記憶し、ラスタ画像を圧縮した後の画像データは、内蔵ＨＤＤ３０２０に記憶するものとする。
【００８０】
上記ステップＳ７０６において、ＰＤＬデータのラスタ画像への展開、圧縮、画像メモリへの記憶が終了したと判断した場合は、画像処理装置１１０は以下の処理を行う。画像メモリに記憶した画像データ及び該画像データの送信元を識別するための画像管理情報をデジタルカラー複写機１２０に通知する（ステップＳ７０７）。
【００８１】
上記画像管理情報とは、ホストコンピュータで画像を作成し、ＨＤＤ等の記憶装置に保存する場合のファイル名や、画像を管理するための数字等、画像を識別・管理できる情報であれば何でもよい。
【００８２】
次に、画像処理装置１１０はデジタルカラー複写機１２０から、画像管理情報、プリントモードの指定、プリント開始命令が送信されてくるかを待機する（ステップＳ７０８）。もし、命令があれば、画像管理情報に基づいて、ＨＤＤ３０２０からプリントすべき画像データを検索する（ステップＳ７０９）。上記ステップＳ７０５及びステップＳ７０６で画像データを画像メモリに記憶する際に圧縮して記憶しているので、その圧縮された画像データを解凍し、プリント可能な非圧縮データに変換する（ステップＳ７１０）。
【００８３】
次に、画像処理装置１１０はデジタルカラー複写機１２０からのプリントモードに基づき、頁順、画像の向き等を変えるなどの処理を行い、画像データをデジタルカラー複写機１２０に転送する（ステップＳ７１１）。
【００８４】
上記プリントモードとは、両面ソートモード、両面ステープル（二箇所止め）モード、片面ソートステープル（一箇所止め）モード等といったように、幾つかのプリント条件の組み合わせがセットされたモードになっている。ユーザは操作部上でプリントしたいモードを選択するだけでよい。これにより、ユーザは複数のプリント条件を一つずつ選択しなくてよく、単にモードを選択するだけでよくなり、操作性が向上する。
【００８５】
そして、画像処理装置１１０はデジタルカラー複写機１２０に画像データの転送が終了したか否かを判断する（ステップＳ７１２）。画像データの転送が終了したと判断した場合は、レディ状態に遷移して（ステップＳ７０１）、ＰＤＬデータ受信待機状態となる。
【００８６】
次に、画像処理システムのデジタルカラー複写機１２０における制御について、図８のフローチャートを参照しながら説明する。
【００８７】
先ず、デジタルカラー複写機１２０の電源を投入すると、デジタルカラー複写機１２０はレディ状態となる（ステップＳ８０１）。デジタルカラー複写機１２０は画像処理装置１１０から画像管理情報の通知が有るか否かをチェックする（ステップＳ８０２）。もし、画像管理情報の通知があれば、画像処理装置１１０の画像メモリ内にプリント可能な画像が記憶されているものと判断する。
【００８８】
次に、デジタルカラー複写機１２０はユーザにより操作部２２７から画像管理情報の表示命令が指示されたか否かをチェックする（ステップＳ８０３）。そこで、表示命令があれば、画像処理装置１１０から通知を受けた全ての画像管理情報を操作部２２７上の表示部に表示する。同時に、デジタルカラー複写機１２０において可能なプリントモードを表示部に表示する（ステップＳ８０４）。
【００８９】
例えば、両面ソートモード、両面ステープル（二箇所止め）モード、片面ソートステープル（一箇所止め）モード等を表示する。また、ユーザがよく使うモードを予めプログラムすることもでき、Ｎ頁の原稿のうち１枚の紙に１、２、Ｎ−１、Ｎ頁目の４頁を両面プリントするという製本用の両面モードのプログラムも可能である。
【００９０】
次に、デジタルカラー複写機１２０はユーザにより操作部２２７から画像管理情報、プリントモードの指定、プリント開始命令が指示されたか否かをチェックする（ステップＳ８０５）。もし、命令があれば、画像処理装置１１０に対して、プリントしようとする画像管理情報、プリント条件を知らせ、プリント開始命令を発行する（ステップＳ８０６）。
【００９１】
次に、デジタルカラー複写機１２０は画像処理装置１１０からプリント開始要求が有るか否かをチェックし、プリント開始要求が来るまで待機する（ステップＳ８０７）。そして、画像処理装置１１０からプリント開始要求が来たら、デジタルカラー複写機１２０は操作部２２７の表示をリモートプリント用の状態にし、他の処理のためのキー入力を禁止する（ステップＳ８０８）。この後、リモートプリントを開始する（ステップＳ８０９）。そして、リモートプリントが終了したか否かを判断し（ステップＳ８１０）、リモートプリントが終了した場合は、デジタルカラー複写機１２０はレディ状態に遷移する（ステップＳ８０１）。
【００９２】
また、上記ステップＳ８０２において、画像処理装置１１０から画像管理情報の通知が無い場合には、デジタルカラー複写機１２０は画像処理装置１１０内の画像メモリにはプリント可能な画像データが記憶されていないものと判断する。そして、ローカルコピー要求が有るか否かをチェックする（ステップＳ８１１）。もし、ローカルコピー要求が無ければ、デジタルカラー複写機１２０はレディ状態に遷移する（ステップＳ８０１）。
【００９３】
また、この時に、ローカルコピー要求があれば、デジタルカラー複写機１２０は操作部２２７の表示をローカルコピー用の状態にし、他の処理のためのキー入力を禁止する（ステップＳ８１２）。この後、ローカルコピーを開始する（ステップＳ８１３）。そして、ローカルコピーが終了したか否かを判断し（ステップＳ８１４）、ローカルコピーが終了した場合は、デジタルカラー複写機１２０はレディ状態に遷移する（ステップＳ８０１）。
【００９４】
また、上記ステップＳ８０３において画像管理情報の通知が無い場合、または、上記ステップＳ８０５において操作部からプリント開始命令等が無い場合には、デジタルカラー複写機１２０は上記ステップＳ８１１以降の処理を実行する。
【００９５】
以上説明したように、本実施の形態によれば、画像処理システムの画像処理装置（ＰＤＬ翻訳装置）１１０は、次の各部を有する。コンピュータから入力された画像情報に基づきラスタ画像データに展開した後圧縮してＨＤＤ３０２０に記憶し、デジタルカラー複写機１２０からの画像管理情報に基づきＨＤＤ３０２０から画像データを検索するＣＰＵ３０１１。画像データが記憶されるＤＲＡＭ３０１３。デジタルカラー複写機１２０からの画像形成・出力指示に基づき画像データに色変換処理を施す色変換処理部３０２１。画像管理情報、画像データをデジタルカラー複写機１２０に出力する外部ビデオインタフェース３０３０。そして、以下の効果を奏する。
【００９６】
上記構成により、画像処理装置１１０における画像データ処理及びデジタルカラー複写機１２０に対する画像データ転送を迅速に行うことが可能となる。これにより、デジタルカラー複写機１２０の性能をフルに発揮させることができると共に、両面、ソート／ステープルプリントの失敗を減らすことができる。
【００９７】
また、デジタルカラー複写機１２０のエンジンスピードに応じたタイミングでプリントすることができる。即ち、プリント中にエンジンが一旦停止して、画像処理装置１１０から送られてくる画像データ待ちになることによるダウンタイムを減らすことができ、複数ページ複数部数プリントのパフォーマンスが向上する。
【００９８】
また、電子的に配られた電子データに対しても、失敗の少ない且つ信頼性の高いシステムを実現できると共に、ユーザの好みに応じた製本も簡単に実現することができる。
【００９９】
また、プリント可能なプリント条件を事前にプログラムしてプリントモードとし、そのプリントモードをデジタルカラー複写機１２０の操作部２２７上で選択することができる。これにより、操作部２２７上で幾つものプリント条件を一つずつ選択する手間が省け、操作性の向上を図ることができる。
【０１００】
［第３の実施の形態］
本発明の第３の実施の形態は、上述した第１の実施の形態に対して、下記の点において相違する。尚、本実施の形態の画像処理システムの全体構成、及び画像処理システムのデジタルカラー複写機、画像処理装置、クライアントコンピュータの構成は、上述した第１の実施の形態と同様であり（図１乃至図４参照）、説明を省略する。
【０１０１】
本実施の形態では、画像処理装置１１０に操作部を設け、該操作部からプリント条件またはプリントモードの指定も可能であることを特徴としている。
【０１０２】
次に、本実施の形態に係る画像処理システムの画像処理装置１１０における制御について、図９のフローチャートを参照しながら説明する。
【０１０３】
先ず、画像処理装置１１０の電源を投入すると、画像処理装置１１０はデジタルカラー複写機１２０から可能なプリント条件／モードを入手し（ステップＳ９０１）、レディ状態となる（ステップＳ９０２）。画像処理装置１１０はホストコンピュータからＰＤＬデータが送信されてくるか否かをチェックし、ＰＤＬデータが送信されてくるまで待機する（ステップＳ９０３）。そして、ホストコンピュータからＰＤＬデータが送信されてきた場合は、他のインタフェースをビジー状態にして、他のインタフェースからのデータを受け付けないようにする（ステップＳ９０４）。
【０１０４】
次に、画像処理装置１１０はＰＤＬデータの受信を開始し、ＤＲＡＭ３０１３のＰＤＬバッファにＰＤＬデータを一旦記憶する（ステップＳ９０５）。そして、受信したＰＤＬデータに基づいて、ラスタ画像への展開を行い、その後そのラスタ画像を圧縮し、画像メモリにそのデータの記憶を開始する（ステップＳ９０６）。その後、ＰＤＬデータのラスタ画像への展開、圧縮、画像メモリへの記憶が終了したか否かを判断する（ステップＳ９０７）。
【０１０５】
この場合の画像メモリとは、アクセスタイムが早いＤＲＡＭ３０１３（上記図１参照）、又はアクセスタイムはＤＲＡＭ３０１３には劣るが低価格で大容量の記憶ができる内蔵ＨＤＤ３０２０（上記図１参照）のどちらでもよい。その選択は、システム全体のパフォーマンス等や、搭載ＤＲＡＭ又は搭載ディスク容量に依存する。
【０１０６】
本実施の形態では、受信したＰＤＬデータを展開した後のラスタ画像、及びラスタ画像を圧縮した画像データの解凍後の画像データは、ＤＲＡＭ３０１３に記憶し、ラスタ画像を圧縮した後の画像データは、内蔵ＨＤＤ３０２０に記憶するものとする。
【０１０７】
上記ステップＳ９０７において、ＰＤＬデータのラスタ画像への展開、圧縮、画像メモリへの記憶が終了したと判断した場合は、画像処理装置１１０は以下の処理を行う。ユーザによりその操作部から、画像メモリに記憶したそれぞれの画像に対応する画像管理情報の表示命令が指示されたか否かをチェックする（ステップＳ９０８）。もし、命令があれば、全ての画像管理情報、デジタルカラー複写機１２０で可能なプリント条件／モードを表示する（ステップＳ９０９）。
【０１０８】
次に、画像処理装置１１０はその操作部から画像管理情報、プリント条件／モードの指定、プリント開始命令が来るかを待機する（ステップＳ９１０）。もし、命令があれば、画像管理情報に基づいて、プリントすべき画像データを検索する（ステップＳ９１１）。上記ステップＳ９０６及びステップＳ９０７で画像データを画像メモリに記憶する際に圧縮して記憶しているので、その圧縮された画像データを解凍し、プリント可能な非圧縮データに変換する（ステップＳ９１２）。
【０１０９】
次に、画像処理装置１１０はデジタルカラー複写機１２０のプリント条件／モードに基づき、頁順、画像の向き等を変えるなどの処理を行い、画像データをデジタルカラー複写機１２０に転送する（ステップＳ９１３）。そして、画像処理装置１１０はデジタルカラー複写機１２０に画像データの転送が終了したか否かを判断する（ステップＳ９１４）。画像データの転送が終了した場合は、レディ状態に遷移して（ステップＳ９０２）、ＰＤＬデータ受信待機状態となる。
【０１１０】
以上説明したように、本実施の形態によれば、画像処理システムの画像処理装置（ＰＤＬ翻訳装置）１１０は、次の各部を有する。コンピュータから入力された画像情報に基づきラスタ画像データに展開し圧縮してＨＤＤ３０２０に記憶し、デジタルカラー複写機１２０からの画像管理情報に基づきＨＤＤ３０２０から画像データを検索するＣＰＵ３０１１。画像データが記憶されるＤＲＡＭ３０１３。デジタルカラー複写機１２０からの画像形成・出力指示に基づき画像データに色変換処理を施す色変換処理部３０２１。画像管理情報、画像データをデジタルカラー複写機１２０に出力する外部ビデオインタフェース３０３０。そして、以下の効果を奏する。
【０１１１】
上記構成により、画像処理装置１１０における画像データ処理及びデジタルカラー複写機１２０に対する画像データ転送を迅速に行うことが可能となる。これにより、デジタルカラー複写機１２０の性能をフルに発揮させることができると共に、両面、ソート／ステープルプリントの失敗を減らすことができる。
【０１１２】
また、デジタルカラー複写機１２０のエンジンスピードに応じたタイミングでプリントすることができる。即ち、プリント中にエンジンが一旦停止して、画像処理装置１１０から送られてくる画像データ待ちになることによるダウンタイムを減らすことができ、複数ページ複数部数プリントのパフォーマンスが向上する。
【０１１３】
また、電子的に配られた電子データに対しても、失敗の少ない且つ信頼性の高いシステムを実現できると共に、ユーザの好みに応じた製本も簡単に実現することができる。
【０１１４】
また、画像処理装置１１０に操作部を設け、該操作部からプリント条件またはプリントモードの指定も可能であるため、操作性の向上を図ることができる。
【０１１５】
［第４の実施の形態］
本発明の第４の実施の形態は、上述した第１の実施の形態に対して、下記の点において相違する。尚、本実施の形態の画像処理システムの全体構成、及び画像処理システムのデジタルカラー複写機、画像処理装置、クライアントコンピュータの構成は、上述した第１の実施の形態と同様であり（図１乃至図４参照）、説明を省略する。
【０１１６】
本実施の形態では、上述した第１〜第３の実施の形態のようにホストコンピュータから受信したデータを一旦、画像処理装置１１０で保持し、オペレータによるプリント条件、プリント開始の指示に応じてプリントを行う。これに加え、更に以下のような処理を行うことにより使い勝手の向上を図ることができる。
【０１１７】
即ち、本実施の形態では、プリントさせたものが思っていたような形式になっていなかった場合に、プリント条件を変更するなどして再びプリントさせるものである。以下、この処理について説明する。
【０１１８】
図１０は、本実施の形態に係るこの場合のデジタルカラー複写機１２０の処理の流れを示すフローチャートである。
【０１１９】
図１０において、先ず、上記図６のステップＳ６１０、上記図８のステップＳ８１０に示した如く、デジタルカラー複写機１２０はリモートプリントが終了したか否かを判断する（ステップＳ１００１）。リモートプリントが終了した場合は、次に、デジタルカラー複写機１２０の操作部２２７から、画像処理装置１１０に蓄積されている画像データを画像管理情報に基づいて特定して消去するよう指示されたか否かを判断する（ステップＳ１００２）。
【０１２０】
画像データを消去するよう操作部２２７から指示されていない場合は、プリント条件を変更するよう操作部２２７から指示があるか否かを判断する（ステップＳ１００３）。プリント条件を変更する指示がある場合は、新たにプリント条件を設定する（ステップＳ１００４）。次に、プリント開始の指示が操作部２２７からあるか否かを判断する（ステップＳ１００５）。プリント開始の指示がある場合は、設定されたプリント条件に従って画像処理装置１１０から該当する画像データを受け取ると共にプリント処理を行う（ステップＳ１００６）。
【０１２１】
この後、プリント処理が終了したか否かを判断する（ステップＳ１００７）。プリント処理が終了したと判断された場合は、画像データ消去の指示があるまで以上の処理を繰り返す。他方、上記ステップＳ１００２で、画像データを消去するよう操作部２２７から指示がある場合は、画像処理装置１１０に対し消去指示を行い消去させる（ステップＳ１００８）。
【０１２２】
このように図１０に示したような処理を行うことにより、一旦、画像処理装置１１０に蓄積した画像データを繰り返し種々のプリント条件でプリントさせることができる。
【０１２３】
また、以上の説明では、ホストコンピュータから送られた画像データを画像処理装置１１０に蓄積した後、オペレータによるプリント開始指示に応じてプリントさせることについて述べた。当然ながら通常のプリントのようにホストコンピュータから画像データが送出された後は、オペレータが介在することなくホストコンピュータで指定されたプリント条件でプリントするものと適宜切り替えて実行させることもできる。
【０１２４】
図１１は、本実施の形態に係るこの場合の画像処理装置１１０の処理の流れを示すフローチャートである。
【０１２５】
本例では、画像データを一旦蓄積した後、オペレータによるプリント指示に応じてプリントするモードを待機モード、オペレータの介在なくプリントするモードを自動出力モードと称する。
【０１２６】
図１１において、先ず、画像処理装置１１０は待機モードが指定されているか判断する（ステップＳ１１０１）。待機モードの指定はホストコンピュータから行うようにしてもよいし、画像処理装置１１０またはデジタルカラー複写機１２０で予め設定しておくようにしてもよい。
【０１２７】
待機モードでなかった場合は、自動出力モードを設定する（ステップＳ１１０２）。次に、デジタルカラー複写機１２０がプリント可能な状態か否かを判断する（ステップＳ１１０３）。デジタルカラー複写機１２０がプリント可能な状態であると判断した場合は、プリントさせるべき画像データをデジタルカラー複写機１２０に転送してプリントさせる（ステップＳ１１０４）。次に、画像データの転送が終了したか否かを判断する（ステップＳ１１０５）。画像データの転送が終了したと判断した場合は、レディ状態に移るが、消去指示が来るまでは画像データはＨＤＤ３０２０で保持する。他方、上記ステップＳ１１０１で、待機モードの指定があった場合は、上述の如くプリント処理を行う（ステップＳ１１０６）。
【０１２８】
このように図１１に示したような処理を行うことにより、画像データを適宜所望の方法で出力させることができる。
【０１２９】
以上説明したように、本実施の形態によれば、画像処理システムのデジタルカラー複写機１２０は、操作部２２７からの画像データを印字出力する際の出力条件及び出力開始の指示入力に基づき、画像データをプリンタ部２０２から出力するように制御する。これにより、一旦、画像処理装置１１０に蓄積した画像データを繰り返し種々のプリント条件でプリントさせることができる。
【０１３０】
また、画像処理システムの画像処理装置１１０は、待機モード（第１の出力モード）が選択された場合は、操作部による入力に応じて画像データをデジタルカラー複写機１２０に転送してプリンタ部２０２から出力させる。自動出力モード（第２の出力モード）が選択された場合は、操作部による入力がなくとも画像データをデジタルカラー複写機１２０に転送してプリンタ部２０２から出力させるように制御する。これにより、画像データを適宜所望の方法で出力させることができる。
【０１３１】
［他の実施の形態］
尚、以上の説明では画像データをホストコンピュータから送出させるようにしたが、これに限定されるものではなく、例えば原稿の画像を読み取るスキャナ等から送られてくるデータであってもよいことは言うまでもない。
【０１３２】
また、上記図５〜図１１に示したフローチャートは各装置のメモリにロードされたプログラムデータに基づき各装置のＣＰＵにより制御される動作の流れを示したものであるが、適宜ハード回路を用いて代替することも可能である。
【０１３３】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１３４】
この場合、記憶媒体から読み出されたプログラムコード自体が前述した実施の形態の機能を実現することになり、そのプログラムコード及び該プログラムコードを記憶した記憶媒体は本発明を構成することになる。
【０１３５】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１３６】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１３７】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０１３８】
【図１】本発明の第１乃至第４の実施の形態に係る画像処理システムの画像処理装置の構成を示すブロック図である。
【図２】画像処理システムの全体構成を示すブロック図である。
【図３】画像処理システムのデジタルカラー複写機の構成を示す説明図である。
【図４】画像処理システムのクライアントコンピュータの構成を示すブロック図である。
【図５】本発明の第１の実施の形態に係る画像処理システムの画像処理装置における制御の流れを示すフローチャートである。
【図６】画像処理システムのデジタルカラー複写機における制御の流れを示すフローチャートである。
【図７】本発明の第２の実施の形態に係る画像処理システムの画像処理装置における制御の流れを示すフローチャートである。
【図８】画像処理システムのデジタルカラー複写機における制御の流れを示すフローチャートである。
【図９】本発明の第３の実施の形態に係る画像処理システムの画像処理装置における制御の流れを示すフローチャートである。
【図１０】本発明の第４の実施の形態に係る画像処理システムの画像処理装置に蓄積された画像データをプリント条件を変更してプリントさせるデジタルカラー複写機の処理の流れを示すフローチャートである。
【図１１】画像処理システムのデジタルカラー複写機の出力モードを適宜選択してプリントさせる画像処理装置の処理の流れを示すフローチャートである。
【図１２】本発明のプログラム及び関連データを記憶した記憶媒体の記憶内容の構成例を示す説明図である。
【図１３】本発明のプログラム及び関連データが記憶媒体から装置に供給される概念例を示す説明図である。
【符号の説明】
【０１３９】
１  ネットワーク
１０１、１０２、１０３  クライアントコンピュータ
１１０  画像処理装置
１２０  デジタルカラー複写機
２０１  イメージスキャナ部
２０２  プリンタ部
２２７  操作部
４０１  ＣＰＵ
３０１１  ＣＰＵ
【図１】
2007109243.tif 000003
【図２】
2007109243.tif 000004
【図３】
2007109243.tif 000005
【図４】
2007109243.tif 000006
【図５】
2007109243.tif 000007
【図６】
2007109243.tif 000008
【図７】
2007109243.tif 000009
【図８】
2007109243.tif 000010
【図９】
2007109243.tif 000011
【図１０】
2007109243.tif 000012
【図１１】
2007109243.tif 000013
【図１２】
2007109243.tif 000014
【図１３】
2007109243.tif 000015